(57)【要約】      （修正有）【課題】目地部の幅寸法分の伸縮に対する揺れ動きを吸収することができ、安全に使用することができる床用目地装置を得るにある。【解決手段】目地部２を介して設けられた左右の躯体の目地部の幅寸法とほぼ同じ幅寸法が境界線や壁面までにある一方の床躯体に先端部が目地部内へ常時突出するように付勢されたスライド移動可能な支持部材を備える他方の目地プレート１０を支持する目地プレート支持機構７と、この目地プレート支持機構７の上部に上下方向へ移動可能に取付けられた目地部の幅寸法とほぼ同じ幅寸法で目地部側が傾斜面に形成された一方の目地プレート８と、左右の躯体の他方の床躯体に後端部が取付けられた先端部が目地プレート支持機構７に支持されるとともに一方の目地プレート８を押し上げることができるように傾斜面に形成された他方の目地プレート１０とで床用目地装置を構成している。【選択図】  図３
2006152749.tif 000002
【特許請求の範囲】
【請求項１】
目地部を介して設けられた左右の躯体の、該目地部の幅寸法とほぼ同じ幅寸法が境界線や壁面までにある一方の床躯体に先端部が目地部内へ常時突出するように付勢されたスライド移動可能な支持部材を備える他方の目地プレートを支持する目地プレート支持機構と、この目地プレート支持機構の上部に上下方向へ移動可能に取付けられた、前記目地部の幅寸法とほぼ同じ幅寸法で、目地部側が傾斜面に形成された一方の目地プレートと、前記左右の躯体の他方の床躯体に後端部が取付けられた先端部が前記目地プレート支持機構に支持されるとともに、前記一方の目地プレートを押し上げることができるように傾斜面に形成された他方の目地プレートとを備えることを特徴とする床用目地装置。
【請求項２】
目地部を介して設けられた左右の躯体の、該目地部の幅寸法とほぼ同じ幅寸法が境界線や壁面までにある一方の床躯体に先端部が目地部方向へ常時突出するように付勢されたスライド移動可能な支持部材を備える目地プレート支持機構と、前記左右の躯体の他方の床躯体に後端部が取付けられ、先端部が前記目地部を覆うように前記目地プレート支持機構に支持される目地プレートとを備えることを特徴とする床用目地装置。
【発明の詳細な説明】
【技術分野】
【０００１】
本発明は目地部を介して設けられた左右の躯体の内、一方の躯体にほぼ目地部の幅寸法分の所に、境界線や壁面を有する所に使用される床用目地装置に関する。
【背景技術】
【０００２】
従来の床用目地装置は、目地プレートの後端部を他方の目地部側床躯体に取付け、先端部を一方の目地部側床躯体にスライド移動可能に支持させている。
【０００３】
このため、目地プレートを目地部の幅寸法分の揺れ動きを吸収しようとすると一方の目地部側床躯体の幅寸法が境界線や壁面までに２倍の目地部の幅寸法が必要となり、十分にスペースがある所にしか使用することができなかったり、あるいは目地部の幅寸法よりも小さな揺れ動きを吸収することができない目地プレートしか設置できないという欠点があった。
【特許文献１】特になし
【発明の開示】
【発明が解決しようとする課題】
【０００４】
本発明は以上のような従来の欠点に鑑み、境界線や壁面までにほぼ目地部の幅寸法分のスペースがあれば、目地部の幅寸法分の伸縮に対する揺れ動きを吸収することができ、安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の躯体の、該目地部の幅寸法とほぼ同じ幅寸法が境界線や壁面までにある一方の床躯体に先端部が目地部内へ常時突出するように付勢されたスライド移動可能な支持部材を備える他方の目地プレートを支持する目地プレート支持機構と、この目地プレート支持機構の上部に上下方向へ移動可能に取付けられた、前記目地部の幅寸法とほぼ同じ幅寸法で、目地部側が傾斜面に形成された一方の目地プレートと、前記左右の躯体の他方の床躯体に後端部が取付けられた先端部が前記目地プレート支持機構に支持されるとともに、前記一方の目地プレートを押し上げることができるように傾斜面に形成された他方の目地プレートとで床用目地装置を構成している。
【発明の効果】
【０００７】
以下の説明から明らかなように、本発明にあっては次に列挙する効果が得られる。
【０００８】
（１）目地部を介して設けられた左右の躯体の、該目地部の幅寸法とほぼ同じ幅寸法が境界線や壁面までにある一方の床躯体に先端部が目地部内へ常時突出するように付勢されたスライド移動可能な支持部材を備える他方の目地プレートを支持する目地プレート支持機構と、この目地プレート支持機構の上部に上下方向へ移動可能に取付けられた、前記目地部の幅寸法とほぼ同じ幅寸法で、目地部側が傾斜面に形成された一方の目地プレートと、前記左右の躯体の他方の床躯体に後端部が取付けられた先端部が前記目地プレート支持機構に支持されるとともに、前記一方の目地プレートを押し上げることができるように傾斜面に形成された他方の目地プレートとで構成されているので、目地プレート支持機構の支持部材の伸縮によって他方の目地プレートの先端部を、目地部の幅寸法のほぼ２倍を移動させることができる。
したがって、目地部の幅寸法分のスペースが一方の床躯体にあれば、最大の伸縮の揺れ動きを吸収することができる。
【０００９】
（２）前記（１）によって、目地部が広くなるように揺れ動いた場合には、他方の目地プレートの先端部が、目地部へ突出している目地プレート支持機構の支持部材に支持されているため、安全に使用することができる。
【００１０】
（３）前記（１）によって、構造が簡単で、容易に設置することができる。
【００１１】
（４）請求項２も前記（１）〜（３）と同様な効果が得られるとともに、さらに構造が簡単で、安価に設置することができる。
【発明を実施するための最良の形態】
【００１２】
以下、図面に示す本発明を実施するための最良の形態により、本発明を詳細に説明する。
【００１３】
図１ないし図８に示す本発明を実施するための最良の第１の形態において、１は目地部２を介して設けられた左右の躯体３、３の床躯体３ａ、３ａの内の一方の床躯体３ａが、目地部から境界線や壁面４までの寸法が目地部２の幅寸法とほぼ同じ、あるいはわずかに大きい寸法である部位の床目地部２を覆う本発明の床用目地装置で、この床用目地装置１は一方の床躯体３ａに形成された凹部５に取付けられた先端部が目地部内へ常時突出するように付勢された、スライド移動可能な支持部材６を備える他方の目地プレートを支持する目地プレート支持機構７と、この目地プレート支持機構７の上部に上下方向へ移動可能に取付けられた、前記目地部の幅寸法とほぼ同じ幅寸法の一方の目地プレート８と、前記左右の躯体３、３の他方の目地部側の床躯体３ａに形成された凹部９に後端部が取付けられた先端部が前記目地プレート支持機構７の支持部材６に支持されるとともに、前記一方の目地プレート８を押し上げることができる他方の目地プレート１０とで構成されている。
【００１４】
前記目地プレート支持機構７は前記一方の床躯体３ａに形成された凹部５の左右方向全体にわたって、所定間隔で左右方向に固定された複数個の角パイプ材製のガイド筒１１と、この複数個のガイド筒１１の上部に皿ビス１２等によって固定された底板１３と、前記複数個のガイド筒１１内をスライド移動する、支持部材６の一部を構成する複数個の突出杆１４と、この複数個の突出杆１４を常時突出する方向に付勢する、前記ガイド筒１１内にそれぞれ収納された付勢スプリング１５と、前記複数個の突出杆１４が所定量以上突出するのを阻止するチェ−ン等のストッパー１６とで構成されている。
なお、本発明の実施の形態ではストッパー１６として、チェ−ンを図示したが、ワイヤ、リンク、パンタ、ストッパー片等前記複数個の突出杆１４が所定量以上突出するのを阻止できるものであれば、どんな形状構造のものであっても良い。
【００１５】
前記一方の目地プレート８は、先端部の上部が前方へ突出する傾斜面１７に形成された浅皿状の金属材製の一方の目地プレート本体１８と、この一方の目地プレート本体１８の後端部の両側部寄りの部位の底面に固定された下方へ突出し、前記凹部５の反目地部側の床躯体３ａに固定されたガイド筒１９、１９と遊び嵌合するガイドピン２０、２０と、前記一方の目地プレート本体１８内に充填されたモルタルあるいはコンクリート２１と、このモルタルあるいはコンクリート２１の上面に設けられたタイル等の床化粧板２２とで構成されている。
【００１６】
前記他方の目地プレート１０は先端部の下部が前方へ突出する傾斜面２３に形成された浅皿状の金属材製の他方の目地プレート本体２４と、この他方の目地プレート本体２４の後端部の両側部寄りの部位に形成された他方の床躯体３ａに固定するピン２５、２５のピン挿入孔２６、２６と、前記他方の目地プレート本体２４内に充填されたモルタルあるいはコンクリート２１と、このモルタルあるいはコンクリート２１の上面に設けられたタイル等の床化粧板２２とで構成されている。
【００１７】
上記構成の床用目地装置１は、通常時には図１ないし図３に示すように床目地部２と境界線や壁面４までの一方の床躯体３ａの上部を他方の目地プレート１０と、一方の目地プレート８とでほぼ隙間なく平坦状態で覆っている。
【００１８】
地震等によって目地部２が狭くなるように揺れ動いた場合、図７に示すように他方の目地プレート１０の先端部で一方の目地プレート８を押し上げて移動するとともに、目地プレート支持機構７の支持部材６を付勢スプリング１５の付勢力に抗して、他方の目地部側床躯体３ａで押し圧して、ほぼ目地部２の幅寸法がなくなる、あるいは他方の目地プレート１０の先端部が境界線あるいは壁面４近傍へ位置するまで移動し、揺れ動きが停止すると自動的に元の状態へ戻る。
【００１９】
地震等によって目地部２が広くなるように揺れ動いた場合、図８に示すように他方の目地プレート１０の先端部が一方の目地プレート８の先端部より離れるように移動し、一方の床躯体３ａより離れても目地プレート支持機構７の支持部材６で支持された状態を目地部２の幅寸法がほぼ２倍になるまで保ち、揺れ動きが停止すると自動的に元の状態へ戻る。
［発明を実施するための異なる形態］
【００２０】
次に、図９ないし図２６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図９ないし図１２に示す本発明を実施するための第２の形態において、前記本発明を実施するための最良の第１の形態と主に異なる点は、一方の床躯体３ａの凹部５を形成する底面に複数個のガイド筒１１を埋設するとともに、この複数個のガイド筒１１より突出する複数個の突出杆１４の先端部に、目地部２が広くなった場合の目地部の隙間を覆う底板１３Ａを取付けた点で、このように構成した床用目地装置１Ａにしても、前記本発明を実施するための最良の第１の形態と同様な作用効果が得られる。
【００２２】
図１３ないし図１５に示す本発明を実施するための第３の形態において、前記本発明を実施するための第２の形態と主に異なる点は、一方の目地プレート８の先端部にヒンジ部材２７を介してフラップ２８を取付けた点で、このように構成した床用目地装置１Ｂにしても、前記本発明を実施するための第２の形態と同様な作用効果が得られる。
【００２３】
図１６ないし図１８に示す本発明を実施するための第４の形態において、前記本発明を実施するための第３の形態と主に異なる点は、目地部側の他方の床躯体３ａにほぼ水平状態でレール２９を固定するとともに、該レール２９上を走行できるように他方の目地プレート１０の後端部に複数個のローラ３０、３０を取付けた点で、このように構成した床用目地装置１Ｃにしても、前記本発明を実施するための第３の形態と同様な作用効果が得られるとともに、前後方向の揺れ動き時には他方の目地プレート１０がレール２９上を前後方向に移動して、その揺れ動きを吸収することができる。
【００２４】
図１９ないし図２１に示す本発明を実施するための第５の形態において、前記本発明を実施するための第３の形態と主に異なる点は複数個のガイド筒１１と、この複数個のガイド筒１１にスライド移動可能に取付けられた突出杆１４と、前記ガイド筒１１間に設けられたスプリング収納筒３１と、このスプリング収納筒３１にスライド移動可能に取付けられた押し出し杆３２と、この押し出し杆３２を常時突出方向に押し出す、前記スプリング収納筒３１内に収納された付勢スプリング１５と、前記押し出し杆３２および複数個の突出杆１４の先端部に取付けられた底板１３Ａとからなる支持部材６Ａを用いた目地プレート支持機構７Ａを用いた点で、このように構成された目地プレート支持機構７Ａを用いて構成された床用目地装置１Ｄにしても、前記本発明を実施するための第３の形態と同様な作用効果が得られる。
【００２５】
図２２ないし図２４に示す本発明を実施するための第６の形態において、前記本発明を実施するための第５の形態と主に異なる点は、一方の床躯体３ａの凹部５の両端部寄りの部位にストッパーケース３３、３３を固定するとともに、該ストッパーケース３３、３３に先端部が底板１３Ａに固定されたストッパー片３４、３４を該ストッパーケース３３、３３の先端部まで後端部がスライド移動可能に取付けた点で、このように構成した床用目地装置１Ｅにしても、前記本発明を実施するための第５の形態と同様な作用効果が得られる。
【００２６】
図２５および図２６に示す本発明を実施するための第７の形態において、前記本発明を実施するための第２の形態と主に異なる点は、一方の目地プレートを使用しないで構成した点で、このように構成した床用目地装置１Ｆにしてもよい。
【産業上の利用可能性】
【００２７】
本発明は床用目地装置を製造する産業で利用される。
【図面の簡単な説明】
【００２８】
【図１】本発明を実施するための最良の第１の形態の平面図。
【図２】本発明を実施するための最良の第１の形態の底面図。
【図３】図１の３−３線に沿う断面図。
【図４】本発明を実施するための最良の第１の形態の目地プレート支持機構の説明図。
【図５】本発明を実施するための最良の第１の形態の一方の目地プレートの説明図。
【図６】本発明を実施するための最良の第１の形態の他方の目地プレートの説明図。
【図７】本発明を実施するための最良の第１の形態の目地部が狭くなった動作説明図。
【図８】本発明を実施するための最良の第１の形態の目地部が広くなった動作説明図。
【図９】本発明を実施するための第２の形態の平面図。
【図１０】本発明を実施するための第２の形態の底面図。
【図１１】図９の１１−１１線に沿う断面図。
【図１２】本発明を実施するための第２の形態の目地部が広くなった動作説明図。
【図１３】本発明を実施するための第３の形態の平面図。
【図１４】図１３の１４−１４線に沿う断面図。
【図１５】本発明を実施するための第３の形態の目地部が狭くなった動作説明図。
【図１６】本発明を実施するための第４の形態の平面図。
【図１７】本発明を実施するための第４の形態の底面図。
【図１８】図１６の１８−１８線に沿う断面図。
【図１９】本発明を実施するための第５の形態の平面図。
【図２０】図１９の２０−２０線に沿う断面図。
【図２１】本発明を実施するための第５の形態の目地プレート支持機構の説明図。
【図２２】本発明を実施するための第６の形態の平面図。
【図２３】図２２の２３−２３線に沿う断面図。
【図２４】本発明を実施するための第６の形態の目地部が狭くなった動作説明図。
【図２５】本発明を実施するための第７の形態の平面図。
【図２６】図２５の２６−２６線に沿う断面図。
【符号の説明】
【００２９】
１、１Ａ、１Ｂ、１Ｃ、１Ｄ、１Ｅ、１Ｆ：床用目地装置、
２：目地部、                              ３：躯体、
３ａ：床躯体、                      ４：境界線や壁面、
５：凹部、                          ６、６Ａ：支持部材、
７、７Ａ：目地プレート支持機構、    ８：一方の目地プレート、
９：凹部、                          １０：他方の目地プレート、
１１：ガイド筒、                    １２：皿ビス、
１３、１３Ａ：底板、                １４：突出杆、
１５：付勢スプリング、              １６：ストッパー、
１７：傾斜面、                      １８：一方の目地プレート本体、
１９：ガイド筒、                    ２０：ガイドピン、
２１：モルタルあるいはコンクリート、２２：床化粧板、
２３：傾斜面、                      ２４：他方の目地プレート本体、
２５：ピン、                              ２６：ピン挿入孔、
２７：ヒンジ部材、                        ２８：フラップ、
２９：レール、                      ３０：ローラ、
３１：スプリング収納筒、                  ３２：押し出し杆、
３３：ストッパーケース、                  ３４：ストッパー片。
【図１】
2006152749.tif 000003
【図２】
2006152749.tif 000004
【図３】
2006152749.tif 000005
【図４】
2006152749.tif 000006
【図５】
2006152749.tif 000007
【図６】
2006152749.tif 000008
【図７】
2006152749.tif 000009
【図８】
2006152749.tif 000010
【図９】
2006152749.tif 000011
【図１０】
2006152749.tif 000012
【図１１】
2006152749.tif 000013
【図１２】
2006152749.tif 000014
【図１３】
2006152749.tif 000015
【図１４】
2006152749.tif 000016
【図１５】
2006152749.tif 000017
【図１６】
2006152749.tif 000018
【図１７】
2006152749.tif 000019
【図１８】
2006152749.tif 000020
【図１９】
2006152749.tif 000021
【図２０】
2006152749.tif 000022
【図２１】
2006152749.tif 000023
【図２２】
2006152749.tif 000024
【図２３】
2006152749.tif 000025
【図２４】
2006152749.tif 000026
【図２５】
2006152749.tif 000027
【図２６】
2006152749.tif 000028